(57)【要約】【課題】放送番組の予約録画をする際に受信障害などによって録画できない場合の問題を回避するため、屋外での視聴を可能とするような小さな記憶容量を有する録画再生装置においても、視聴したい番組の代替番組を有効にかつ可能な限り録画する方法、プログラム及び装置を提供する。【解決手段】予め関連のある放送番組情報をグループ化し、グループの中で録画する優先順位、録画数を指定することにより、特定の１番組に限らず、関連のある複数の番組の中から代替放送番組を含む予約録画を行う。【選択図】図１
2005236910.tif 000002
【特許請求の範囲】
【請求項１】
放送番組を予約録画する装置であって、
録画予約情報を入力する予約情報入力手段と、
前記録画予約情報を編集する予約情報編集手段と、
複数の録画予約情報をグループ化してグループ予約情報を生成するグループ予約情報生成手段と、
前記グループ予約情報をもとにグループ録画予約を設定するグループ録画予約設定手段とを有することを特徴とする予約録画装置。
【請求項２】
放送番組を予約録画するプログラムであって、コンピュータに、
録画予約情報を入力する予約情報入力機能と、
前記録画予約情報を編集する予約情報編集機能と、
複数の録画予約情報をグループ化してグループ予約情報を生成するグループ予約情報生成機能と、
前記グループ予約情報をもとにグループ録画予約を設定するグループ録画予約設定機能とを実現させるための予約録画プログラム。
【請求項３】
放送番組を予約録画する方法であって、
録画予約情報を入力する予約情報入力ステップと、
前記録画予約情報を編集する予約情報編集ステップと、
複数の録画予約情報をグループ化してグループ予約情報を生成するグループ予約情報生成ステップと、
前記グループ予約情報をもとにグループ録画予約を設定するグループ録画予約設定ステップとを有することを特徴とする予約録画方法。
【請求項４】
前記グループ予約情報をさらに木構造で表示するステップを有する請求項３記載の予約録画方法。
【請求項５】
前記グループ予約情報生成ステップは、さらに、前記各録画予約の時間的な重複を検索し、重複がある場合には、重複する各放送番組の受信感度を検出し、受信感度の良い方を優先的に録画することを特徴とする請求項３及び請求項４に記載の予約録画方法。
【発明の詳細な説明】
【技術分野】
【０００１】
本発明は、放送番組の予約録画を行う際に、予め関連のある放送番組情報をグループ化し、受信障害などによって録画できなかった場合の代替録画方法、これをコンピュータに実現させるプログラム、及びその装置に関する。
【背景技術】
【０００２】
近年、さまざまな形態のテレビ録画装置や再生装置が登場している。例えば、大容量のハードディスクを搭載した録画再生装置では、多くの番組を撮り溜めることが可能で、適当に録画した番組から選択して視聴するという使い方ができる。
【０００３】
しかしながら、屋外での視聴を可能とするような録画再生装置ではフラッシュメモリなどを利用しており、容量が小さいために多くの番組を撮り溜めることができない。このような容量の小さな録画再生装置でも視聴したい番組を可能な限り録画したいという要求がある。
【０００４】
これに関連する公知の技術としては、テレビ放送を録画する際に予約に時間的な重複があった場合ＥＰＧ（Electronic Program Guide）から再放送を検索して再放送情報をユーザに知らせる方法が特開平１１−１８５３１６に記されている。また、検索した再放送番組を予備的に録画しておくことにより受信障害への対策を行う方法が特開２０００−２６８４４１に記されている。さらに、特開平１０−２１６０１では、録画予約時間の重複がある場合には再放送情報をユーザに提供したり、放送時間の延長に対応する方法が記されている。このように、ユーザが予約した番組をより確実に録画できるようにする方法が提案されている。
【０００５】
しかし、例えば、「朝のニュースを録画したい」といったときには特定番組を録画予約しても再放送は無く、受信障害などが起きた場合には特開平１１−１８５３１６公報に記されているようなＥＰＧで再放送を検索する方法がとれない。また、特開２０００−２６８４４１公報に記されているような大容量の録画装置で十分な記録容量がある場合には複数の番組を録画できるが、記憶容量が小さかったり、大記憶容量でも残りの記憶容量が小さい場合には録画できない可能性がある。
【特許文献１】特開平１１−１８５３１６号公報
【特許文献２】特開２０００−２６８４４１号公報
【特許文献３】特開平１０−２１６０１号公報
【発明の開示】
【発明が解決しようとする課題】
【０００６】
前述のように、屋外での視聴を可能とするような録画再生装置ではフラッシュメモリなどを利用しており、容量が小さいために多くの番組を撮り溜めることができない。
【０００７】
本発明の目的は、容量の小さな録画再生装置でも視聴したい番組を可能な限り録画する技術を提供することにある。
【０００８】
また、本発明の他の目的は、特定の１番組に限らず、複数の番組の中からどれか録画できれば利用者の要求に応えられるといった場合の技術を提供することにある。
【課題を解決するための手段】
【０００９】
本願の請求項１に記載の発明は、放送番組を予約録画する装置であって、録画予約情報を入力する予約情報入力手段と、前記録画予約情報を編集する予約情報編集手段と、複数の録画予約情報をグループ化してグループ予約情報を生成するグループ予約情報生成手段と、前記グループ予約情報をもとにグループ録画予約を設定するグループ録画予約設定手段とを有することを特徴とする予約録画装置である。
【００１０】
本願の請求項１に記載の発明によれば、複数の録画予約情報をグループ化してグループ予約情報を生成する。生成されたグループ予約情報は複数の録画予約情報を含む。グループ予約情報は１つでも複数存在していても構わない。ここで、例えば、１つのグループ予約情報を１つの録画予約情報として録画予約すると、いくつかの単一録画予約に混ざってグループ録画予約が存在しても、予約録画装置は、グループ録画予約の中に含まれる複数の録画予約を、優先度や幾つまで録画するか等の設定に従って規定数成功するまで、もしくは全ての予約を実行するまで録画予約を実行するようになっている。
【００１１】
以下の説明においては、単に、録画予約情報を予約情報、グループ録画予約情報をグループ予約情報、録画予約設定を予約設定、グループ録画予約設定をグループ予約設定と称する。また、録画の対象は映像に限らず音声をも含むものとする。
【００１２】
従来は、何らかの手段によって得た番組情報を入力・編集し、作成した番組の予約情報をもとに予約録画を行っていた。これに対し、本発明では、従来技術とは異なり、所望の放送番組の予約情報をグループ化し、グループ化した予約情報の中で録画の優先度、録画番組数を設定し、放送時間が重なる番組は優先度を付けるか受信感度の良いほうを録画する。受信感度の悪い番組をそのまま録画しないで次の優先度の放送番組を録画するようにしているため、録画できない番組があっても代替番組が録画されている。受信感度の悪い放送番組をそのまま録画せず記憶メディアの容量を効率的に利用するようになっている。
【００１３】
図２は、予約情報のグループ化説明図である。図２に示すように、複数の予約情報２０１の中からいくつかの予約情報をグループ化して複数の予約情報を含む１つあるいは複数のグループ予約情報２０２とする。図２においては、ａ、ｂ、ｃ３つのグループ化された予約情報を示す。ａ、ｂ、ｃ３つのグループ化された予約情報とは別にグループ化されていない単一予約情報が存在していても構わない。
【００１４】
図４に示したグループ録画説明図は、１つのグループ予約情報４００においてグループに含まれる予約情報４０１に従って放送番組の録画を開始する場合の例の説明図である。
【００１５】
図において、予約情報４０１に対応する放送番組の録画開始時における受信感度が所定の感度に満たない場合には、次の予約情報４０２に従って次の放送番組の録画を行うように設定されている場合を示している。まず、予約情報４０１に従って行われようとした録画が、受信感度が規定値に満たないことにより録画失敗となり、次の予約情報４０２に従って録画された番組が録画成功した。その後は、グループの放送番組予約録画数が１と設定されている場合は、このグループの予約録画を終了し、次のグループあるいは単一予約録画を行う。このグループの放送番組予約録画数が２と設定されている場合は、次の予約情報４０３に従って次の放送番組の録画を行う。
【００１６】
また、本願の請求項２に記載の発明は、放送番組を予約録画するプログラムであって、コンピュータに、録画予約情報を入力する予約情報入力機能と、前記録画予約情報を編集する予約情報編集機能と、複数の録画予約情報をグループ化してグループ予約情報を生成するグループ予約情報生成機能と、前記グループ予約情報をもとにグループ録画予約を設定するグループ録画予約設定機能とを実現させるための予約録画プログラムである。
【００１７】
本発明の予約録画プログラムは、図２に示すような複数の予約情報２０１をグループ化する指示を受けると、コンピュータにグループ予約情報２０２を生成させる。図２では３つのグループ予約情報ａ、ｂ、ｃ３つの各グループグループ予約情報を生成させた例である。各グループ予約情報ａ、ｂ、ｃにおいて、各グループ予約情報に指定されている優先度、録画数に従って録画を実行させ、録画が規定数成功するまで、もしくは指定により、全ての予約録画を実行させる。
【００１８】
図３に示したフローは、複数の予約情報を含む１つのグループ予約録画を実行する例を示したものである。
【００１９】
例えば、次のような手順でｎ番組を録画する。
【００２０】
まず、グループ内で指定された番組が開始するまで待機し（Ｓ３０１）、番組が開始されると同時に録画を開始する（Ｓ３０２）。この録画が終了したときに、録画に成功していた場合には（Ｓ３０３）、録画済み数をインクリメントし（Ｓ３０４）、ｎ番組録画された場合にはこのグループ予約録画を終了する（Ｓ３０５）。また、ｎ番組録画されておらず（Ｓ３０３）、未実行の予約がグループ内に残っている場合には、待機状態に戻る（Ｓ３０６）。未実行の予約がグループ内に残っていない場合には、このグループ予約録画を終了する（Ｓ３０６）。録画に失敗し、未実行の予約がグループ内に残っている場合には、待機状態に戻る（Ｓ３０６）。録画に失敗し、未実行の予約がグループ内に残っていない場合には、このグループ予約録画を終了する（Ｓ３０６）。
【００２１】
録画に失敗する要因としては、記録媒体が挿入されていない、もしくは記録媒体の残量が足りない、もしくは受信感度が悪い、といった場合がある。
【００２２】
また、本願の請求項３に記載の発明は、放送番組を予約録画する方法であって、録画予約情報を入力する予約情報入力ステップと、前記録画予約情報を編集する予約情報編集ステップと、複数の録画予約情報をグループ化してグループ予約情報を生成するグループ予約情報生成ステップと、前記グループ予約情報をもとにグループ録画予約を設定するグループ録画予約設定ステップとを有することを特徴とする予約録画方法である。
【００２３】
本願の請求項３に記載の発明によれば、複数の予約情報をグループ化し、グループ内の録画番組数が規定数成功するまで、もしくはグループ内の全ての予約を実行することにより、複数の番組を含む１グループの録画予約を１つの録画予約として扱うことができる。これにより、例えば、「朝のニュースを録画したい」といった場合に、ひとつの番組の録画に失敗しても他の番組の録画をすることでユーザの要求にこたえられる。特に小容量であったり、大容量でも残容量が少ない録画装置で大きな効果を発揮する。
【００２４】
ここで、グループ予約情報の中に、本放送番組と、本放送番組に対する再放送番組が予定されている場合には再放送番組を入れておけば、本放送番組の予約録画に失敗しても再放送番組の予約録画により、本放送番組の類似番組を予約録画するより所望の録画をすることができる。
【００２５】
また、本願の請求項４に記載の発明は、前記グループ予約情報をさらに木構造で表示するステップを有する請求項３記載の録画予約方法である。
【００２６】
本願の請求項４に記載の発明によれば、簡単かつ直感的にグループ化した録画予約の状況を把握しやすくする。すなわち、図１５に示すように、グループ予約情報から枝として個々の予約情報を木構造表示する。図において、グループＡ、グループＢ及びグループＣについて、単にグループ名Ａ、Ｂ、Ｃが表示されるだけでなく、例えば、グループ名Ａ、Ｂ、Ｃを縦方向に表示し、それぞれのグループに属する個々の予約情報を縦方向に直交させる形で表示させる。このようにすることによって、それぞれのグループとグループに属する個々の予約情報が図式的に理解しやすく表示される。
【００２７】
また、本願の請求項５に記載の発明は、前記グループ予約情報生成ステップは、さらに、前記各録画予約の時間的な重複を検索し、重複がある場合には、重複する各放送番組の受信感度を検出し、受信感度の良い方を優先的に録画することを特徴とする請求項３及び請求項４に記載の予約録画方法である。
【００２８】
例えば、「朝の７時台のニュースを録画したい」といった場合に、特定の番組を予約して受信障害が起きた場合には画質が悪くなる。チューナを複数持ち、同時に複数の録画が可能な録画装置では同時間帯の複数の番組を録画予約することも可能であるが、チューナがひとつの場合には対応できない。このような場合にも、同時間帯の複数の番組からどれかを録画できるようにする手段を提供する。
【００２９】
複数の録画予約情報をグループ化し、グループ化した録画予約の時間的な重複を検索し、重複がある場合に双方の受信感度を検知して比較することによって、受信感度の良い方を優先的に録画し、グループ内の予約録画が規定数成功するまで、もしくは全ての予約を実行するまで予約を実行する。
【００３０】
これにより、あるチャンネルの受信感度が低い場合にも他の受信感度の良いチャンネルの放送を録画することができる。チューナを複数持たない、もしくは多チャンネル録画に対応しない録画装置で特に効果を発揮する。
【００３１】
図６はグループ内の録画予約番組の時間的重複説明図である。予約情報６０１と予約情報６０２に時間的な重なりがある場合を示す。
【００３２】
図７は、ｎ番組の録画フローＢを示す。本発明の予約録画方法における録画番組数の処理に関わる部分の実行フロー例である。図８および図９は時間的重複の処理に関する図７における予約実行（Ｓ７０１）の部分の詳細フロー例を示す。
【００３３】
例えば、次のような手順でn番組を録画する。
【００３４】
まず、図８もしくは図９に示されるフローを実行し（Ｓ７０１）、録画に成功していた場合には（Ｓ７０２）、録画済み数をインクリメントし（Ｓ７０３）、ｎ番組録画された場合にはこのグループ予約録画を終了する（Ｓ７０４）。また、ｎ番組録画されておらず、未実行の予約がグループ内に残っている場合には、予約実行の待機状態に戻る。また、未実行の予約がグループ内に残っていない場合には、このグループ予約録画を終了する（Ｓ７０５）。録画に失敗し、未実行の予約がグループ内に残っている場合には、予約実行の待機状態に戻る。録画に失敗し、未実行の予約がグループ内に残っていない場合には、このグループ予約録画を終了する（Ｓ７０５）。
【００３５】
図８は、録画予定の最初の番組が放送される前に、その番組のチャンネルと、録画時間帯が重なる他の番組のチャンネルとの受信感度を比較する例である。
【００３６】
図８で使用されている各操作、条件の意味は次のとおりである。
【００３７】
操作１は最初に開始予定の予約を抽出する（予約Ａ）。操作２は予約Ａと時間が重なる予約を抽出する（予約Ｂ１、Ｂ２、・・・）。操作３は予約Ａの開始時刻の規定時間前まで待機する。操作４は予約Ａ、Ｂ１、Ｂ２、・・・のチャンネルの受信感度を比較する。操作５−１は予約Ａを無効にする。操作５−２は予約Ａ、Ｂ１、Ｂ２、・・・中で、最も受信感度の良い予約以外の予約を無効にする。操作５−３は予約Ａ、Ｂ１、Ｂ２、・・・中で、最も受信感度の良い予約以前の予約を無効にする。操作６は予約Ａの録画を開始する。操作７は予約Ａの録画を終了する。条件１は予約Ａと時間が重なる予約がある。条件２は予約Ａのチャンネルの受信感度が最も良い。
【００３８】
まず初めに、最初に開始予定の予約Ａを抽出する（Ｓ８０１）。次に予約Ａと時間が重なる予約Ｂ１、Ｂ２、・・・を抽出する（Ｓ８０２）。予約Ａと時間帯が重なる予約が無く（Ｓ８０３）、受信感度が良好な場合には、予約Ａを予定通り実行するために予約Ａの開始時刻の規定時間前まで待機する（Ｓ８０８）。受信感度が悪い場合には予約Ａの実行を中止する。予約Ａと時間が重なる予約がある場合には、予約Ａの開始時刻の規定時間前まで待機し（Ｓ８０４）、予約Ａの開始時刻の規定時間前に予約Ａ、Ｂ１、Ｂ２・・・のチャンネルの受信感度を比較する（Ｓ８０５）。予約Ａの受信感度が最も良い場合（Ｓ８０６）は予約Ａを予定通り実行し（Ｓ８０７）、実行後は終了する（Ｓ８１０）。予約Ａの受信感度が最も良い場合以外は予約Ａを含むいくつかの予約を無効にする（Ｓ８０９）。
【００３９】
予約Ａを含むいくつかの予約を無効にする方法は、予約Ａのみを無効にする操作５−１、予約Ａ、Ｂ１、Ｂ２・・・の中で最も受信感度の良い予約以外を無効にする操作５−２、予約Ａ、Ｂ１、Ｂ２・・・の中で最も受信感度の良い予約以前のものを無効にする５−３、などの選択肢がある（Ｓ８０９）。ここで、図８のＳ８０９に示されている操作５−ｉは、前記の操作５−１乃至操作５−３のどれかを表している。
【００４０】
図９は、録画中に、その番組のチャンネルと、録画時間が重なる他の番組のチャンネルとの受信感度を比較する例である。
【００４１】
図９で使用されている各操作、条件の意味は次のとおりである。
【００４２】
操作１は最初に開始予定の予約を抽出する（予約Ａ）。操作２は予約Ａと時間が重なる最初の予約を抽出する（予約Ｂ）。操作３は予約Ａの開始時刻の規定時間前まで待機する。操作４は予約Ａの録画を開始する。操作５は予約Ａの録画を終了する。操作６は予約Ａと時間帯が重なる予約Ｂ以降の予約を抽出し新たに予約Ｂとする。操作７は予約Ａの録画を中止して予約Ｂを新たに予約Ａとする。条件１は予約Ａの受信感度は良好である。条件２は予約Ｂが存在する。条件３は予約Ａの終了時刻になった。条件４は予約Ｂの開始時刻の規定時間前になった。条件５は予約Ａの方が予約Ｂよりも受信感度がよい。
【００４３】
まず初めに、開始予定の予約Ａの抽出（Ｓ９０１）、予約Ａと時間帯が重なる予約のうち最初に開始予定の予約Ｂの抽出を行う（Ｓ９０２）。次に予約Ａの開始時刻まで待機し（Ｓ９０３）、予約Ａの受信状態がよければ（Ｓ９０４）、録画を開始する（Ｓ９０５）。予約Ｂが存在しない場合（Ｓ９０６）には、予約Ａの終了時刻まで録画して（Ｓ９１１）、終了する（Ｓ９１２）。予約Ｂが存在する場合（Ｓ９０６）には、予約Ｂの開始時刻の規定時間になる前（Ｓ９０７）に予約Ａ、予約Ｂのチャンネルの受信感度を比較し、予約Ａがより受信感度が良い場合（Ｓ９０８）には予約Ｂを無効にして次に予約Ｂと重なる予約を新たに予約Ｂとして抽出した上で、条件２の分岐に戻る（Ｓ９０９）。予約Ｂがより受信感度が良い場合には、予約Ａの録画を中止して予約Ｂを新たな予約Ａとして操作２に戻る（Ｓ９１０）。ここで、受信感度の比較では、必ずしも最も感度の良いものを選択する必要は無く、規定レベル以上の場合や受信感度の差が小さい場合に、放送時間が早い予約Ａを優先してもよい。
【発明の効果】
【００４４】
本発明によれば、放送番組の予約録画を行う際に、予め関連のある放送番組情報をグループ化することにより、受信障害などによって録画できなかった場合の代替録画ができる。
このため、特定の１番組ではなく、複数の番組の中からどれか録画できればよいといった利用者の要求に応えることができる。
【００４５】
また、受信感度の悪い放送番組をそのまま録画せず記憶メディアの容量を効率的に利用できるようになっている。特に小容量であったり、大容量でも残容量が少ない録画装置で大きな効果を発揮する。特に、屋外での視聴を可能とするような録画再生装置ではフラッシュメモリなどを利用しており、容量が小さいために多くの番組を撮り溜めることができないが、このような容量の小さな録画再生装置でも、本発明によれば、視聴したい番組を効率的に録画できる。
【００４６】
また、グループ予約情報の中に、本放送番組と、本放送番組に対する再放送番組が予定されている場合には再放送番組を入れておけば、本放送番組の予約録画に失敗しても再放送番組の予約録画により、本放送番組の類似番組を予約録画するより所望の録画をすることもできる。
【発明を実施するための最良の形態】
【００４７】
図１は、本発明の一実施形態例を示す構成図である。
【００４８】
図1において、本発明による予約録画装置は予約情報入力手段１０１、予約情報編集手段１０２、グループ予約情報生成手段１０３、グループ録画予約設定手段１０４、受信感度検出部１０５、録画予約制御部１０６、録画再生制御部１０７、録画再生部１０８、画面表示制御部１０９、画面表示部１１０を有しており、互いに図示のように接続されている。
【００４９】
予約情報入力手段１０１は、放送番組情報の受信、再放送番組の検出、また、図示されていないキーボード、マウス、及びリモコン等による指示は、画面表示部１１０に表示され、指示による予約情報の指定を受け付けて録画予約制御部１０６に渡し、これらの情報は、例えば、録画予約制御部１０６にある記憶領域に記憶される。予約情報編集手段１０２は、上記のキーボード、マウス、及びリモコン等によって指示される録画予約の各放送番組の選択、順序の変更等の
予約情報の編集を受け付ける。グループ予約情報生成手段１０３は、予約情報の中から選択された予約情報を録画予約グループとし、情報を録画予約制御部１０６に渡す。グループ録画予約設定手段１０４は、グループ予約情報生成手段１０３によりグループ化されたグループ予約情報をもとに、グループ予約がキーボード、マウス、及びリモコン等によって指示されると、グループ中に指定された放送番組の録画の優先度、いくつまで録画するか、あるいは、全部録画するか、各番組の時間的な重なりの検査結果の通知等を画面表示部１１０に表示し、内容の変更指示をキーボード、マウス、及びリモコン等から受け付けて確定の指示がされると、これらの情報は録画予約制御部１０６に渡され、録画予約制御部１０６にある記憶領域に記憶される。受信感度検出部１０５は、指定の放送番組の受信感度を検知し、所定の感度に対する良否の判定、指定の放送番組間の受信感度の比較を行う。録画予約制御部１０６は、録画予約の受付、制御を行い、例えば、ＣＰＵであって、かつ、メモリ領域を有する。あるいは、コンピュータ以外の単体の録画再生装置であっても構わない。
録画再生制御部１０７は、録画予約制御部１０６からの命令を受け付け、録画再生の制御を行う。録画再生部１０８は、録画再生制御部１０７の指示に従い、録画再生を行う。画面表示制御部１０９は、キーボード、マウス、及びリモコン等からの入力を受け付け、画面表示部１１０への表示を行わせる。画面表示部１１０は、画面表示制御部１０９の指示に従いディスプレイに表示を行わせる（図示省略）。ここで、グループ予約情報生成手段１０３とグループ録画予約設定手段１０４との役割分担は、上記の例に限らず、一つの手段となっていても構わない。要は、グループ予約情報を生成し、これをもとにグループ録画予約設定する手段であれば構わない。
【００５０】
（実施例１）
録画予約して設定された放送番組の受信感度が規定値に達しない場合には、録画せずに次に指定された放送番組を録画し、録画番組数に達するまで録画を行うステップを有する予約録画方法。
【００５１】
この方法により、所定値に満たない感度の悪い放送番組を録画することなく、代替番組や再放送番組を録画するので、予約録画装置のメモリに無駄な情報を記録せずに済む。メモリが小容量であったり、大容量でも残量が少ない場合には録画装置にとって有効であり、録画後の必要情報の取り出しにも手間がかからない。
【００５２】
（実施例２）
指定されたグループ予約情報を保存するステップと、保存した情報を編集し再利用するステップとを有する予約録画方法。
【００５３】
一度指定した録画予約のグループからいくつかの番組情報を削除したり、別の番組を追加したり、ほぼ同じ内容のグループ予約を行う際に、最初からグループ形成をしなくてはならないのは、不便である。このようなほぼ同じ内容のグループ予約を行う際に簡単にグループ形成ができるようにする方法である。
【００５４】
本実施例に示す予約録画方法は、複数の任意の録画予約情報をグループ化するステップと、グループ内の予約が規定数成功するまで、もしくは全ての予約を実行するまで予約を実行するステップと、ユーザが指定したグループの情報を保存するステップと、保存した情報を編集し再利用するステップとを有する。
【００５５】
図１０のａ部に示すように、現在の予約とは別に、予約の履歴として残している情報１００１を編集して新たな予約１００２にする。もしくは図１０のｂ部に示すように、予約の履歴として残している情報１００３のコピーを編集して、新たな予約１００４にしてもよい。このとき、図１１に示すように、編集の過程で元のグループから情報１１０１と１１０３を削除して情報１１０２と１１０４を残す、というように個別に予約を削除しても良い。
【００５６】
（実施例３）
過去に予約した番組に対応する番組検索するステップと、検索結果を元に過去の予約情報を現在利用できる予約情報に更新するステップとを有する予約録画方法。
【００５７】
例えば、録画予約のグループに単発の番組が含まれている場合や、毎週放映されるが放映時間が変わってしまった番組が含まれている場合に、毎週録画指定や予約履歴の再利用で予期していない番組を録画する可能性がある。しかしながら、予期しない番組の録画を防ぐためにユーザが手動で番組表を調べて更新するのは不便である。このような不便さを解消する手段を提供する方法である。
【００５８】
複数の任意の録画予約情報をグループ化するステップと、グループ内の予約が規定数成功するまで、もしくは全ての予約を実行するまで予約を実行するステップと、ユーザが過去に予約した番組に対応する番組検索する機能と、検索結果を元に過去の予約情報を現在利用できる予約情報に更新するステップとを有することで、録画予約のグループに単発の番組が含まれている場合や、毎週放映されるが放映時間が変わってしまった番組が含まれている場合に、予期しない番組の録画を容易に防止できる。
【００５９】
図１２に示すように、予約履歴１２００に対応する現在の番組情報をEPGで調べ、予約情報１２０１と１２０３に対応する番組が無く、予約情報１２０２と１２０４に対応する番組が有る場合に、予約情報１２０１と１２０３を無効化して予約１２０２と１２０４を対応する番組の情報に更新し、予約履歴１２１０とする。この更新は規定時刻もしくは予約実行後もしくはソフトウェア起動時などに行っても良いし、ユーザが更新を指示した時に行っても良い。
【００６０】
（実施例４）
ユーザの指定するキーワードを元に番組情報を検索するステップを有する予約録画方法。
【００６１】
例えば、「ニュースを録画したい」といった場合にニュース番組の放送予定を番組表から調べて手動で予約設定するのは不便である。このような不便さを解消する方法である。
【００６２】
複数の任意の録画予約情報をグループ化するステップと、グループ内の予約が規定数成功するまで、もしくは全ての予約を実行するまで予約を実行するステップと、ユーザの指定するキーワードを元に番組情報を検索するステップを有することで、放送予定を番組表から一つ一つ調べることなく、録画予約の候補を絞り込むことができる。
【００６３】
図１３に示すように、EPGの個別の予約情報１３００から、キーワードで検索して得られた番組情報をグループ化してグループ予約情報１３０１、１３０２、１３０３、・・・を作成する。これらのグループ予約情報１３０１、１３０２、１３０３、・・・を利用して新たな予約を行う。
【００６４】
（実施例５）
グループ化する録画予約情報を検索する際に時間帯を指定するステップを有する予約録画方法。
【００６５】
例えば、「朝のニュースを録画したい」といった場合にニュース番組の放送予定を番組表から調べて手動で予約設定するのは不便である。そこで実施例４に記載の方法で、候補を絞り込むことができる。しかし、「朝」の番組だけでなく、全時間帯の候補中からさらにユーザが絞り込む必要がある。このような不便さを解消する方法である。
【００６６】
複数の録画予約情報をグループ化するステップと、グループ内の予約が規定数成功するまで、もしくは全ての予約を実行するまで予約を実行するステップと、グループ化する録画予約情報を検索する際に時間帯を指定するステップを有することで、例えば、「朝のニュースを録画したい」といった場合に、放送予定を番組表から一つ一つ調べることなく、録画予約の候補を時間帯まで絞り込むことができる。
【００６７】
図１４に示すように、まずEPGの全体の予約情報１４００から、時間帯を指定して予約情報１４１０を取り出す。次にキーワードで検索して得られた番組情報をグループ化してグループ予約情報１４１１、１４１２、１４１３・・・を作成する。これらのグループ予約情報１４１１、１４１２、１４１３・・・を利用して新たな予約を行う。
【００６８】
（実施例６）
グループ予約情報生成ステップにおいて、さらに、録画番組数の指定を受け付けることを特徴とする録画予約方法。
【００６９】
例えば、グループ予約情報生成ステップにおいて録画番組数の指定を受け付けるようにする。ここで、グループ録画予約設定のステップにおいて録画番組数の指定を受け付けるようになっていても構わない。要は、グループ化した予約情報に従って全部録画予約するのか、あるいは、数を制限して録画予約するのかを指定するようになっていれば足りる。
【００７０】
録画が開始され、録画に失敗する場合もある。本実施例では、グループ毎に録画番組数を指定しておくことにより、予期しない録画の失敗に対する代替の番組録画、あるいは再放送番組を録画することができる。
【００７１】
（実施例７）
グループ化した録画予約情報に優先度を付加するステップと、前記録画予約情報を優先度順に表示するステップとを有する予約録画方法。
【００７２】
録画予約をグループ化して、どれかを視聴できれば良い場合でも、優先順位をつけたい場合がありうる。しかしながら、優先順位が属性として存在していても、優先順位が数値として示されていては現状の優先順位を把握しにくい。このような場合に、簡単かつ直感的に優先順位を把握できるようにする方法である。
【００７３】
複数の任意の録画予約情報をグループ化するステップと、グループ内の予約が規定数成功するまで、もしくは全ての予約を実行するまで予約を実行するステップと、グループ化した録画予約情報に優先度を付加するステップと、前記録画予約情報を優先度順に表示するステップを有することで、簡単かつ直感的に優先順位を把握できるようになる。
【００７４】
図１６のａ部に示すように、グループ予約情報から枝として個別の予約情報を表示する。このときグループ内での優先度順に個別の予約情報を表示する。
【００７５】
また、図１６のｂ部に示すように、表もしくはリスト形式で優先度順に表示する機能を持たせ、通常は録画開始順で表示し、ユーザの指示により優先度順に表示させてもよい。図１６のｂ部に示すような優先度を表示する欄を設けることより優先度を把握しやすくなる。
【００７６】
また、予約時に決定したグループの優先度順にグループの表示をするステップを有する予約録画方法の例を示す。
【００７７】
録画予約のグループを１予約として考えて、グループ間で優先順位をつけたい場合に、優先順位が数値として示されていては現状の優先順位を把握しにくい。このような場合に、簡単かつ直感的に優先順位を把握できるようにする方法である。
【００７８】
複数の任意の録画予約情報をグループ化するステップと、グループ内の予約が規定数成功するまで、もしくは全ての予約を実行するまで予約を実行するステップと、予約時に決定したグループの優先度順にグループの表示をするステップを有することで、グループの優先順位が簡単かつ直感的に把握できるようになる。
【００７９】
例えば、図１８のａ部に示すように３つのグループＡ、Ｂ、Ｃを優先度順に直列に表示する。このとき、図１８のｂ部に示すように、グループ内の個別の予約を木構造に表示する。また、図１８のｃ部に示すように、表もしくはリスト形式で優先度順に表示する機能を持たせ、通常は録画開始順で表示し、ユーザの指示により優先度順に表示させてもよい。この場合には図１８のｃ部に示すような優先度を表示する欄を設けることで優先度を把握しやすくなる。
【００８０】
（実施例８）
グループ化した録画予約情報に予約時に優先度を付加するステップと、録画時に優先度を付加するステップと、予約時決定した優先度順に表示するステップと、録画時に保存の優先度を決定する録画予約情報を優先度に直交する方向に並べて表示するステップとを有する予約録画方法。
【００８１】
録画予約をグループ化して、どれかを視聴できればいい場合に、ユーザ自身で優先順位をつけるとともに、録画時の受信状況が良い方を残すといった、録画時に優先順位を決定したい場合がある。このような場合に、優先順位が数値として示されていては現状の優先順位を把握しにくい。また、優先順位を一覧表のような形で表示しても、録画時に優先順位を決定したい予約の状況を把握しにくい。このような場合に、簡単かつ直感的に優先順位を把握できるようにする手段を提供する方法である。
【００８２】
複数の任意の録画予約情報をグループ化するステップと、グループ内の予約が規定数成功するまで、もしくは全ての予約を実行するまで予約を実行するステップと、グループ化した録画予約情報に予約時に優先度を付加するステップと、録画時に優先度を付加するステップ、予約時決定した優先度順に直列に表示するステップと、録画時に保存の優先度を決定する録画予約情報を並列に表示するステップとを有することで、既に優先順位が決定されている予約と、録画時に優先順位を決定する予約とを簡単かつ直感的に把握できるようになる。
【００８３】
図１７のａ部に示すように、グループ予約情報から枝として個別の予約情報を表示する。このときグループ内ですでに決定されている優先度順に個別の予約情報を表示する。また、録画時に保存の優先度を決定する録画予約情報は、優先度に直交する方向に表示する。これよって、簡単かつ直感的に予約の優先順位を把握できるようになる。
【００８４】
また、図１７のｂ部に示すように、表もしくはリスト形式で優先度順に表示する機能を持たせ、通常は録画開始順で表示し、ユーザの指示により優先度順に表示させてもよい。この場合には図１７のｂ部に示すような優先度を表示する欄を設けることで優先度を把握しやすくしてもよい。
【００８５】
（実施例９）
予約時に決定したグループの優先度順にグループを表示するステップと、優先度の指定されていないグループを優先度に直交する方向に並べて表示するステップとを有する予約録画方法。
【００８６】
録画予約のグループを１予約として考えて、ユーザ自身でグループ間に優先順位をつけるとともに、録画時の受信状況が良い方を残すといった、録画時に優先順位を決定したい場合がある。このような場合に、優先順位が数値として示されていては現状の優先順位を把握しにくい。また、優先順位を一覧表のような形で表示しても、録画時に優先順位を決定したい予約の状況を把握しにくい。このような場合に、簡単かつ直感的に優先順位を把握できるようにする方法である。
【００８７】
複数の任意の録画予約情報をグループ化するステップと、グループ内の予約が規定数成功するまで、もしくは全ての予約を実行するまで予約を実行するステップと、予約時に決定したグループの優先度順にグループを直列に表示するステップと、優先度の指定されていないグループを並列に表示するステップを有することで、既に優先順位が決定されているグループと、録画時に優先順位を決定したいグループの状況を簡単かつ直感的に把握できるようになる。
【００８８】
また、本発明の予約録画方法は、複数の任意の録画予約情報をグループ化するステップと、グループ内の予約が規定数成功するまで、もしくは全ての予約を実行するまで予約を実行するステップと、予約時に決定したグループの優先度順にグループを表示するステップと、優先度の指定されていないグループを優先度に直交する方向に表示するステップを有するようにしてもよい。
【００８９】
例えば、３つのグループＡ、Ｂ、Ｃがあり、グループＢの優先度が高く、グループＡとグループＣの優先度が同じであるとすると、図１９のａ部に示すようにグループＢの下に、グループＡと グループＣを並列に表示する。このとき、図１９のｂ部に示すように、グループ内の個別の予約を木構造に表示してもよい。また、図１９のｃ部に示すように、表もしくはリスト形式で優先度順に表示する機能を持たせ、通常は録画開始順で表示し、ユーザの指示により優先度順に表示させてもよい。この場合には図１９のｃ部に示すような優先度を表示する欄を設けることで優先度を把握しやすくしても良い。
【００９０】
以上の実施例１〜９を含む実施形態に関し、更に以下の付記を開示する。
（付記１）  放送番組を予約録画する装置であって、録画予約情報を入力する予約情報入力手段と、前記録画予約情報を編集する予約情報編集手段と、複数の録画予約情報をグループ化してグループ予約情報を生成するグループ予約情報生成手段と、前記グループ予約情報をもとにグループ録画予約を設定するグループ録画予約設定手段とを有することを特徴とする予約録画装置。
（付記２）  放送番組を予約録画するプログラムであって、コンピュータに、録画予約情報を入力する予約情報入力機能と、前記録画予約情報を編集する予約情報編集機能と、複数の録画予約情報をグループ化してグループ予約情報を生成するグループ予約情報生成機能と、前記グループ予約情報をもとにグループ録画予約を設定するグループ録画予約設定機能とを実現させるための予約録画プログラム。
（付記３）  放送番組を予約録画する方法であって、録画予約情報を入力する予約情報入力ステップと、前記録画予約情報を編集する予約情報編集ステップと、複数の録画予約情報をグループ化してグループ予約情報を生成するグループ予約情報生成ステップと、前記グループ予約情報をもとにグループ録画予約を設定するグループ録画予約設定ステップとを有することを特徴とする予約録画方法。
（付記４）  前記グループ予約情報生成ステップは、さらに、録画番組数の指定を受け付けることを特徴とする付記３に記載の録画予約方法。
（付記５）  前記グループ予約情報生成ステップは、さらに、前記各録画予約の時間的な重複を検索し、重複がある場合には、重複する各放送番組の受信感度を検出し、受信感度の良い方を優先的に録画することを特徴とする付記３及び付記４に記載の予約録画方法。
（付記６）  前記録画予約して設定された放送番組の前記受信感度が規定値に達しない場合には録画せずに次に指定された放送番組を録画し前記録画番組数に達するまで録画を行う付記３乃至付記５に記載の予約録画方法。この方法により、所定値に満たない感度の悪い放送番組を録画することなく、代替番組や再放送番組を録画するので、予約録画装置のメモリに無駄な情報を記録せずに済む。メモリが小容量であったり、大容量でも残量が少ない場合には録画装置にとって有効であり、録画後の必要情報の取り出しにも手間がかからない。
（付記７）  指定されたグループ予約情報を保存するステップと、保存した情報を編集し再利用するステップとを有することを特徴とする付記３乃至付記６に記載の予約録画方法。
一度指定した録画予約のグループからいくつかの番組情報を削除したり、別の番組を追加したりする際に簡単にグループ形成ができるようになる。
【００９１】
（付記８）  過去に予約した番組に対応する番組検索するステップと、検索結果を元に過去の予約情報を現在利用できる予約情報に更新するステップとを有する付記３乃至付記７に記載の予約録画方法。録画予約のグループに単発の番組が含まれている場合や、毎週放映されるが放映時間が変わってしまった番組が含まれている場合に、毎週録画指定や予約履歴の再利用で予期していない番組を録画する可能性がある。しかしながら、予期しない番組の録画を防ぐためにユーザが手動で番組表を調べて更新するのは不便である。このような不便さを解消するために、録画予約のグループに単発の番組が含まれている場合や、毎週放映されるが放映時間が変わってしまった番組が含まれている場合に、予期しない番組の録画を容易に防止できる。
（付記９）  ユーザの指定するキーワードを元に番組情報を検索するステップを有する付記３乃至付記８に記載の予約録画方法。例えば、「ニュースを録画したい」といった場合にニュース番組の放送予定を番組表から調べて手動で予約設定するのは不便である。本方法によれば、放送予定を番組表から一つ一つ調べることなく、録画予約の候補を絞り込むことができる。
（付記１０）  グループ化する録画予約情報を検索する際に時間帯を指定するステップを有する付記９に記載の予約録画方法。例えば、「朝のニュースを録画したい」といった場合にニュース番組の放送予定を番組表から調べて手動で予約設定するのは不便である。そこで付記９に記載の方法で、候補を絞り込むことができる。しかし、「朝」の番組だけでなく、全時間帯の候補中からさらにユーザが絞り込む必要がある。このような場合の不便さを解消する方法である。
（付記１１）  前記グループ予約情報生成ステップにおいて、さらに、録画番組数の指定を受け付けることを特徴とする付記３乃至付記１０に記載の予約録画方法。
【００９２】
例えば、グループ予約情報生成ステップにおいて録画番組数の指定を受け付けるようにする。ここで、グループ録画予約設定のステップにおいて録画番組数の指定を受け付けるようになっていても構わない。要は、グループ化した予約情報に従って全部録画予約するのか、あるいは、数を制限して録画予約するのかを指定するようになっていれば足りる。
【００９３】
録画が開始され、録画に失敗する場合もある。本実施例では、グループ毎に録画番組数を指定しておくことにより、予期しない録画の失敗に対する代替の番組録画、あるいは再放送番組を録画することができる。
（付記１２）  グループ化した録画予約情報に優先度を付加するステップと、前記録画予約情報を優先度順に表示するステップとを有する付記３乃至付記１１に記載の予約録画方法。録画予約をグループ化して、どれかを視聴できれば良い場合でも、優先順位をつけたい場合がありうる。しかしながら、優先順位が属性として存在していても、優先順位が数値として示されていては現状の優先順位を把握しにくい。このような場合に、簡単かつ直感的に優先順位を把握できるようにする方法である。
【００９４】
さらに、予約時に決定したグループの優先度順にグループの表示をするステップを有することにより、グループの優先順位が簡単かつ直感的に把握できるようになる。
（付記１３）  グループ化した録画予約情報に予約時に優先度を付加するステップと、録画時に優先度を付加するステップと、予約時決定した優先度順に表示するステップと、録画時に保存の優先度を決定する録画予約情報を優先度に直交する方向に並べて表示するステップとを有する付記３乃至付記１２に記載の予約録画方法。録画予約をグループ化して、どれかを視聴できればいい場合に、ユーザ自身で優先順位をつけるとともに、録画時の受信状況が良い方を残すといった、録画時に優先順位を決定したい場合がある。このような場合に、優先順位が数値として示されていては現状の優先順位を把握しにくい。また、優先順位を一覧表のような形で表示しても、録画時に優先順位を決定したい予約の状況を把握しにくい。上記のようにすれば簡単かつ直感的に優先順位を把握できる。
（付記１４）  予約時に決定したグループの優先度順にグループを表示するステップと、優先度の指定されていないグループを優先度に直交する方向に並べて表示するステップとを有する付記３乃至付記１３に記載の予約録画方法。録画予約のグループを１予約として考えて、ユーザ自身でグループ間に優先順位をつけるとともに、録画時の受信状況が良い方を残すといった、録画時に優先順位を決定したい場合がある。このような場合に、優先順位が数値として示されていては現状の優先順位を把握しにくい。また、優先順位を一覧表のような形で表示しても、録画時に優先順位を決定したい予約の状況を把握しにくい。上記のようにすれば簡単かつ直感的に優先順位を把握できる。
【図面の簡単な説明】
【００９５】
【図１】本発明の一実施形態を示す構成図
【図２】予約情報のグループ化説明図
【図３】ｎ番組の録画フローＡ
【図４】グループの録画説明図
【図５】再放送を含むグループ予約情報
【図６】グループ内の時間的重複説明図
【図７】ｎ番組の録画フローＢ
【図８】予約実行フローＸ
【図９】予約実行フローＹ
【図１０】予約履歴流用説明図
【図１１】予約履歴編集説明図
【図１２】予約履歴更新説明図
【図１３】キーワード検索説明図
【図１４】時間帯指定キーワード検索説明図
【図１５】予約の木構造表示Ａ
【図１６】予約の木構造表示Ｂ
【図１７】予約の木構造表示Ｃ
【図１８】グループ予約表示Ａ
【図１９】グループ予約表示Ｂ
【符号の説明】
【００９６】
１０１    予約情報入力手段
１０２    予約情報編集手段
１０３    グループ予約情報生成手段
１０４    グループ録画予約設定手段
１０５    受信感度検出部
１０６    録画予約制御部
１０７    録画再生制御部
１０８    録画再生部
１０９    画面表示制御部
１１０    画面表示部
【図１】
2005236910.tif 000003
【図２】
2005236910.tif 000004
【図３】
2005236910.tif 000005
【図４】
2005236910.tif 000006
【図５】
2005236910.tif 000007
【図６】
2005236910.tif 000008
【図７】
2005236910.tif 000009
【図８】
2005236910.tif 000010
【図９】
2005236910.tif 000011
【図１０】
2005236910.tif 000012
【図１１】
2005236910.tif 000013
【図１２】
2005236910.tif 000014
【図１３】
2005236910.tif 000015
【図１４】
2005236910.tif 000016
【図１５】
2005236910.tif 000017
【図１６】
2005236910.tif 000018
【図１７】
2005236910.tif 000019
【図１８】
2005236910.tif 000020
【図１９】
2005236910.tif 000021